(57)【要約】【課題】  簡易な構成により太陽光パネルの傾斜方向及び傾斜角度の調整の自由度を高め、例えば、自然のままの斜面若しくはそれに近い人工的な斜面に対しても容易に対応することができる太陽光パネル用架台を提供すること。【解決手段】  支柱と、上記支柱に回動可能に設置された第１梁材と、上記第１梁材に設置され上記第１梁材の回動中心軸に直交する回動中心軸の周りに回動可能であって太陽光パネルが設置される第２梁材と、を具備したことを特徴とするもの。【選択図】  図２
2017192232.tif 000002
【特許請求の範囲】
【請求項１】
支柱と、
上記支柱に回動可能に設置された第１梁材と、
上記第１梁材に設置され上記第１梁材の回動中心軸に直交する回動中心軸の周りに回動可能であって太陽光パネルが設置される第２梁材と、
を具備したことを特徴とする太陽光パネル用架台。
【請求項２】
請求項１記載の太陽光パネル用架台において、
上記第１梁材は上記支柱に対して第１梁材の長手方向に移動可能に設置されていることを特徴とする太陽光パネル用架台。
【請求項３】
請求項１又は請求項２記載の太陽光パネル用架台において、
上記第２梁材は上記第１梁材に対して第２梁材の長手方向に移動可能に設置されていることを特徴とする太陽光パネル用架台。
【請求項４】
請求項１〜請求項３の何れかに記載の太陽光パネル用架台において、
上記支柱と上記第１梁材との間には上記第１梁材を支持するとともに上記第１梁材の上記支柱に対する回動を許容する第１リンク機構が設置されていることを特徴とする太陽光パネル用架台。
【請求項５】
請求項１〜請求項３の何れかに記載の太陽光パネル用架台において、
上記支柱と上記第２梁材との間には上記第２梁材を支持するとともに上記第２梁材の上記第１梁材に対する回動を許容する第２リンク機構が設置されていることを特徴とする太陽光パネル用架台。
【請求項６】
請求項４記載の太陽光パネル用架台において、
上記第１リンク機構は第１リンク部材を備えていて、この第１リング部材は、その一端が上記支柱と上記第１梁材の何れか一方に回動可能に連結されており、その他端が上記支柱と上記第１梁材の何れか他方に移動可能に連結されていることを特徴とする太陽光パネル用架台。
【請求項７】
請求項６記載の太陽光パネル用架台において、
上記第１梁材の下面にはナットが内装される溝が延長・形成されており、
上記第１リンク部材の他端は上記ナットにボルトを螺合させることにより連結されていて、
上記ボルト・ナットの締結を緩めることにより上記第１リンク部材の他端が上記第１梁材に対して移動可能になることを特徴とする太陽光パネル用架台。
【請求項８】
請求項１〜請求項７の何れかに記載の太陽光パネル用架台において、
上記第１梁材には上記第２梁材をその回動軸に直交する方向の少なくとも２箇所で支持する第２梁材用支持部が設置されており、
上記第２梁材用支持部それぞれにおける上記第２梁材の支持位置を変えることによって上記第２梁材の傾斜角度を調整することを特徴とする太陽光パネル用架台。
【請求項９】
請求項８記載の太陽光パネル用架台において、
上記第２梁材用支持部は上記第１梁材に固着され固定用係合部が設けられた係合部材と、上記係合部材の上記固定用係合部の任意の位置に係合される固定用被係合部を備えた被係合部材と、この被係合部材と上記係合部材と上記第２梁材を締結・固定する締結具とから構成されていることを特徴とする太陽光パネル用架台。
【請求項１０】
請求項１〜請求項９の何れかに記載の太陽光パネル用架台において、
上記支柱は中央に１本設けられていることを特徴とする太陽光パネル用架台。
【請求項１１】
請求項１〜請求項９の何れかに記載の太陽光パネル用架台において、
上記支柱は２本が離間配置されており、上記２本の支柱のそれぞれに上記第１梁材が設置されていて、上記２つの第１梁材に上記第２梁材が架け渡されていることを特徴とする太陽光パネル用架台。
【発明の詳細な説明】
【技術分野】
【０００１】
本発明は、太陽光パネルが設置される太陽光パネル用架台に係り、特に、簡易な構成により太陽光パネルの傾斜方向及び傾斜角度の調整の自由度を高め、例えば、自然のままの斜面若しくはそれに近い人工的な斜面に対しても容易に対応することができるように工夫したものに関する。
【背景技術】
【０００２】
従来の太陽光パネル用架台の構成を開示するものとして、例えば、特許文献１がある。
この特許文献１に記載された太陽光パネル架台は、地面に打ち込まれた支柱と、この支柱の上端側に設置された角度調節機構と、この角度調節機構によって角度調節可能に支持されるとともに太陽光パネルが設置されるパネル受けとから構成されている。
【０００３】
上記角度調節機構は、上記支柱に固着され上記パネル受けを回動可能に支持するブラケットと、その一端が上記パネル受けに回動可能に支持されその他端が上記ブラケットに回動可能であってスライド可能に支持された４本のリンク部材とから構成されている。また、上記ブラケットには長孔が形成されており、この長穴に上記リンク部材の回動軸を貫通させることにより、上記リンク部材の他端側が上記ブラケットに対して回動可能であってスライド可能に支持されるようになっている。
そして、上記４本のリンク部材の他端側の上記ブラケットの長穴内での固定位置を変えることにより上記パネル受けの角度を調整するように構成されている。
【先行技術文献】
【特許文献】
【０００４】
【特許文献１】特開２０１４−４３７６３号公報
【発明の概要】
【発明が解決しようとする課題】
【０００５】
しかし、上記従来の構成によると次のような問題があった。
すなわち、上記特許文献１に記載された太陽光パネル架台では、上記太陽光パネルを１つの回動軸を中心に回動させるだけであるので、太陽光パネルの傾斜方向及び傾斜角度の調整の自由度が低いという問題があった。
特に、自然のままの斜面若しくはそれに近い人工的な斜面に設置する場合には広範囲な調整が必要となり、従来の構成では限界があった。
なお、自然のままの傾斜面とは、例えば、山の傾斜面を伐採しただけの傾斜面であって切り株等がそのまま残っている斜面を意味するとともに、それに近い人工的な斜面とは、例えば、ゴルフ場における斜面のようなものを意味する。
【０００６】
本発明はこのような点に基づいてなされたものでその目的とするところは、簡易な構成により太陽光パネルの傾斜方向及び傾斜角度の調整の自由度を高め、例えば、自然のままの斜面若しくはそれに近い人工的な斜面に対しても容易に対応することができる太陽光パネル用架台を提供することにある。
【課題を解決するための手段】
【０００７】
上記課題を解決するべく本願発明の請求項１による太陽光パネル用架台は、支柱と、上記支柱に回動可能に設置された第１梁材と、上記第１梁材に設置され上記第１梁材の回動中心軸に直交する回動中心軸の周りに回動可能であって太陽光パネルが設置される第２梁材と、を具備したことを特徴とするものである。
又、請求項２による太陽光パネル用架台は、請求項１記載の太陽光パネル用架台において、上記第１梁材は上記支柱に対して第１梁材の長手方向に移動可能に設置されていることを特徴とするものである。
又、請求項３による太陽光パネル用架台は、請求項１又は請求項２記載の太陽光パネル用架台において、上記第２梁材は上記第１梁材に対して第２梁材の長手方向に移動可能に設置されていることを特徴とするものである。
又、請求項４による太陽光パネル用架台は、請求項１〜請求項３の何れかに記載の太陽光パネル用架台において、上記支柱と上記第１梁材との間には上記第１梁材を支持するとともに上記第１梁材の上記支柱に対する回動を許容する第１リンク機構が設置されていることを特徴とするものである。
又、請求項５による太陽光パネル用架台は、請求項１〜請求項３の何れかに記載の太陽光パネル用架台において、上記支柱と上記第２梁材との間には上記第２梁材を支持するとともに上記第２梁材の上記第１梁材に対する回動を許容する第２リンク機構が設置されていることを特徴とするものである。
又、請求項６による太陽光パネル用架台は、請求項４記載の太陽光パネル用架台において、上記第１リンク機構は第１リンク部材を備えていて、この第１リング部材は、その一端が上記支柱と上記第１梁材の何れか一方に回動可能に連結されており、その他端が上記支柱と上記第１梁材の何れか他方に移動可能に連結されていることを特徴とするものである。
又、請求項７による太陽光パネル用架台は、請求項６記載の太陽光パネル用架台において、上記第１梁材の下面にはナットが内装される溝が延長・形成されており、上記第１リンク部材の他端は上記ナットにボルトを螺合させることにより連結されていて、上記ボルト・ナットの締結を緩めることにより上記第１リンク部材の他端が上記第１梁材に対して移動可能になることを特徴とするものである。
又、請求項８による太陽光パネル用架台は、請求項１〜請求項７の何れかに記載の太陽光パネル用架台において、上記第１梁材には上記第２梁材をその回動軸に直交する方向の少なくとも２箇所で支持する第２梁材用支持部が設置されており、上記第２梁材用支持部それぞれにおける上記第２梁材の支持位置を変えることによって上記第２梁材の傾斜角度を調整することを特徴とするものである。
又、請求項９による太陽光パネル用架台は、請求項８記載の太陽光パネル用架台において、上記第２梁材用支持部は上記第１梁材に固着され固定用係合部が設けられた係合部材と、上記係合部材の上記固定用係合部の任意の位置に係合される固定用被係合部を備えた被係合部材と、この被係合部材と上記係合部材と上記第２梁材を締結・固定する締結具とから構成されていることを特徴とするものである。
又、請求項１０による太陽光パネル用架台は、請求項１〜請求項９の何れかに記載の太陽光パネル用架台において、上記支柱は中央に１本設けられていることを特徴とするものである。
又、請求項１１による太陽光パネル用架台は、請求項１〜請求項９の何れかに記載の太陽光パネル用架台において、上記支柱は２本が離間配置されており、上記２本の支柱のそれぞれに上記第１梁材が設置されていて、上記２つの第１梁材に上記第２梁材が架け渡されていることを特徴とするものである。
【発明の効果】
【０００８】
以上述べたように、本願発明の請求項１記載の太陽光パネル用架台によると、支柱と、上記支柱に回動可能に設置された第１梁材と、上記第１梁材に設置され上記第１梁材の回動中心軸に直交する回動中心軸の周りに回動可能であって太陽光パネルが設置される第２梁材と、を具備したため、簡易な構成により、太陽光パネルの傾斜方向及び傾斜角度の調整の自由度を高め、それによって、例えば、自然のままの斜面若しくはそれに近い人工的な斜面に対しても容易に対応することができる。
又、請求項２記載の太陽光パネル用架台によると、請求項１記載の太陽光パネル用架台において、上記第１梁材は上記支柱に対して第１梁材の長手方向に移動可能に設置されているので、支柱に対する太陽光パネルの位置を調整することができ、様々な立地条件に対応することができる。
又、請求項３記載の太陽光パネル用架台によると、請求項１又は請求項２記載の太陽光パネル用架台において、上記第２梁材は上記第１梁材に対して第２梁材の長手方向に移動可能に設置されているので、上記効果をさらに高めることができる。
又、請求項４による太陽光パネル用架台は、請求項１〜請求項３の何れかに記載の太陽光パネル用架台において、上記支柱と上記第１梁材との間には上記第１梁材を支持するとともに上記第１梁材の上記支柱に対する回動を許容する第１リンク機構が設置されているため、上記第１梁材を確実に支持することができる。
又、請求項５による太陽光パネル用架台は、請求項１〜請求項３の何れかに記載の太陽光パネル用架台において、上記支柱と上記第２梁材との間には上記第２梁材を支持するとともに上記第２梁材の上記第１梁材に対する回動を許容する第２リンク機構が設置されているため、上記第２梁材を確実に支持することができる。
又、請求項６による太陽光パネル用架台は、請求項４記載の太陽光パネル用架台において、上記第１リンク機構は第１リンク部材を備えていて、この第１リング部材は、その一端が上記支柱と上記第１梁材の何れか一方に回動可能に連結されており、その他端が上記支柱と上記第１梁材の何れか他方に移動可能に連結されているため、簡易な構成により、上記第１梁材を確実に支持するとともに傾斜方向及び傾斜角度を調整可能とすることができる。
又、請求項７記載の太陽光パネル用架台によると、請求項６記載の太陽光パネル用架台において、上記第１梁材の下面にはナットが内装される溝が延長・形成されており、上記第１リンク部材の他端は上記ナットにボルトを螺合させることにより連結されていて、上記ボルト・ナットの締結を緩めることにより上記第１リンクの他端が上記第１梁材に対して移動可能になるため、簡易な構成により上記第１梁材を確実に支持するとともに傾斜方向及び傾斜角度を調整可能とすることができる。
又、請求項８記載の太陽光パネル用架台によると、請求項１〜請求項７の何れかに記載の太陽光パネル用架台において、上記第１梁材には上記第２梁材をその回動軸に直交する方向の少なくとも２箇所で支持する第２梁材用支持部が設置されており、上記第２梁材用支持部それぞれにおける上記第２梁材の支持位置を変えることによって上記第２梁材の傾斜角度を調整するため、簡易な構成による上記第２梁材の傾斜角度を調整することができる。
又、請求項９記載の太陽光パネル用架台によると、請求項８記載の太陽光パネル用架台において、上記第２梁材用支持部は上記第１梁材に固着され固定用係合部が設けられた係合部材と、上記係合部材の上記固定用係合部の任意の位置に係合される固定用被係合部を備えた被係合部材と、この被係合部材と上記係合部材と上記第２梁材を締結・固定する締結具とから構成されているため、上記第２梁材を確実に支持するとともに傾斜方向及び傾斜角度を調整可能とすることができる。
又、請求項１０記載の太陽光パネル用架台によると、請求項１〜請求項９の何れかに記載の太陽光パネル用架台において、上記支柱は中央に１本設けられているため、簡易な構成により太陽光パネルを傾斜方向及び傾斜角度を調整可能に支持することができる。
又、請求項１１記載の太陽光パネル用架台によると、請求項１〜請求項９の何れかに記載の太陽光パネル用架台において、上記支柱は２本が離間配置されており、上記２本の支柱のそれぞれに上記第１梁材が設置されていて、上記２つの第１梁材に上記第２梁材が架け渡されているため、より安定した状態で太陽光パネルを支持することができる。
【図面の簡単な説明】
【０００９】
【図１】本発明の第１の実施の形態を示す図で、太陽光パネル用架台に太陽光パネルを設置した状態を斜め上から視た斜視図である。
【図２】本発明の第１の実施の形態を示す図で、太陽光パネル用架台に太陽光パネルを設置した状態を示す図であり、図２（ａ）は太陽光パネルを左右方向に傾斜させた状態を示す正面図、図２（ｂ）は太陽光パネルを前後方向に傾斜させた状態を示す左側面図である。
【図３】本発明の第１の実施の形態を示す図で、図３（ａ）は太陽光パネル用架台の平面図、図３（ｂ）は太陽光パネル用架台の正面図、図３（ｃ）は太陽光パネル用架台の左側面図である。
【図４】本発明の第１の実施の形態を示す図で、図３（ｂ）のＩＶ部の拡大図である。
【図５】本発明の第１の実施の形態を示す図で、図５（ａ）は図３（ｃ）のＶａ部の拡大図、図５（ｂ）は図３（ｃ）のＶｂ部の拡大図、図５（ｃ）は図３（ｃ）のＶｃ部の拡大図、図５（ｄ）は図５（ｃ）のＶｄ−Ｖｄ断面図である。
【図６】本発明の第１の実施の形態を示す図で、図６（ａ）は第２梁材用支持部の係合部材の平面図、図６（ｂ）は第２梁材用支持部の係合部材の正面図、図６（ｃ）は第２梁材用支持部の係合部材の左側面図である。
【図７】本発明の第１の実施の形態を示す図で、図７（ａ）は第２梁材用支持部の被係合部材の正面図、図７（ｂ）は第２梁材用支持部の被係合部材の左側面図である。
【図８】本発明の第１の実施の形態を示す図で、図３（ｃ）のＶＩＩＩ部の拡大図である。
【図９】本発明の第２の実施の形態を示す図で、太陽光パネル用架台に太陽光パネルを設置した状態で、太陽光パネルを左右方向と前後方向に傾斜させた状態を示す左側面図である。
【図１０】本発明の第２の実施の形態を示す図で、太陽光パネル用架台に太陽光パネルを設置した状態で、図１０（ａ）は太陽光パネルを左右方向に傾斜させた状態を示す正面図、図１０（ｂ）は太陽光パネルを前後方向に傾斜させた状態を示す左側面図である。
【図１１】本発明の第２の実施の形態を示す図で、図１０（ｂ）のＸＩ部を拡大するとともに手前にある第２梁材端部支持部材を便宜上取り除いた状態を示す図である。
【図１２】本発明の第２の実施の形態を示す図で、図１０（ｂ）のＸＩＩ部の拡大図である。
【図１３】本発明の第２の実施の形態を示す図で、図１２をＸＩＩＩ−ＸＩＩＩ破断線で切って第２梁材端部支持部材近傍の状態を示す断面図である。
【図１４】本発明の第２の実施の形態を示す図で、図１０（ｂ）をＸＩＶ−ＸＩＶ破断線で切って第２梁材端部支持部材近傍の状態を示す断面図である。
【図１５】本発明の第３の実施の形態を示す図で、太陽光パネル用架台に太陽光パネルを設置した状態を斜め上から視た示す斜視図である。
【図１６】本発明の第３の実施の形態を示す図で、太陽光パネル用架台に太陽光パネルを設置した状態を示す図であり、図１６（ａ）は太陽光パネルを左右方向に傾斜させた状態を示す正面図、図１６（ｂ）は太陽光パネルを前後方向に傾斜させた状態を示す左側面図である。
【図１７】本発明の第３の実施の形態を示す図で、図１７（ａ）は太陽光パネル用架台の平面図、図１７（ｂ）は太陽光パネル用架台の正面図である。
【図１８】本発明の第３の実施の形態を示す図で、太陽光パネル用架台の左側面図である。
【発明を実施するための形態】
【００１０】
以下、図１乃至図８を参照して本発明の第１の実施の形態を説明する。
本実施の形態による太陽光パネル用架台１には、図１、図２に示すように、複数枚（この第１の実施の形態の場合は４枚）の太陽光パネル３が載置・固定されている。また、本実施の形態による太陽光パネル用架台１は、上記太陽光パネル３の傾斜角度を、図２（ａ）に示すように、左右方向に０°〜±３０°の範囲で調整可能となっているとともに、図２（ｂ）に示すように、前後方向にも０°〜±３０°の範囲で調整可能となっている。
以下、上記太陽光パネル用架台１の構成を詳細に説明する。
【００１１】
まず、支柱５があり、この支柱５は、中空の略四角柱形状の部材で、図４に示すように、その上端であって左右両側には、ナット７、７が、例えば、溶接によって固着されている。
【００１２】
また、図１に示すように、上記支柱５の下部には、設置用プレート６が、例えば、溶接によって固着されている。この設置用プレート６の下方には短管８が連結されていて、この短管８の上端にはフランジ８ｂが固着されている。そして、図５（ｂ）に示すように、上記設置用プレート６と上記フランジ８ｂを当接させて、ボルト８ａ及びナット８ｃからなる複数組の締結具により締結・固定される。
なお、上記短管８はその一部が地中に埋設される或いは図示しないコンクリート製基礎に取付・固定されることになる。
【００１３】
例えば、図４、図５（ａ）に示すように、上記支柱５の上端には、第１梁材９が第１梁材用支持部材１１を介して回動可能に設置されている。この第１梁材用支持部材１１は、略コの字型の端面形状を成すチャンネル材から構成されていて、その両側には、図４中左右方向に延長された貫通孔１２、１２が形成されている。上記支柱５と上記第１梁材用支持部材１１は、ボルト１３、１３を上記貫通孔１２、１２を通して、上記支柱５に固着された上記ナット７、７に螺合させることにより固定されている。また、上記ボルト１３、１３の頭部と上記第１梁材用支持部材１１との間には、それぞれワッシャ１３ａ、１３ａが介挿されている。
【００１４】
また、図４に示すように、上記第１梁材９の端面形状は略横Ｈ型をなしていて、図４中下端側の左右方向両側にＴ型溝１５、１５が形成されている。このような端面形状が図４中紙面垂直方向に連続している。上記Ｔ型溝１５、１５内には、Ｔ型ナット１７、１７が図４中左右に２個ずつ内装されている。上記第１梁材９は、左右２本ずつのボルト１９、１９を、上記第１梁材用支持部材１１の図示しない貫通孔を通して上記左右２個ずつのＴ型ナット１７、１７に螺合させることにより固定されている。また、上記ボルト１９、１９の頭部と上記第１梁材用支持部材１１との間には、それぞれワッシャ１９ａ、１９ａが介挿されている。
【００１５】
また、図３（ｃ）に示すように、上記支柱５の下端側（図３（ｃ）中下側）と上記第１梁材９の後端側（図３（ｃ）中左側）はリンク機構２１によって連結されている。このリンク機構２１は、図５（ｂ）に示すように、上記支柱５の下端側（図３（ｃ）中下側）に固着されチャンネル材からなる支柱側支点用部材２３と、上記第１梁材９の後端側（図３（ｃ）中左側）に設置された第１梁材側支点用部材２５と、その両端側を上記支柱側支点用部材２３と上記第１梁材側支点用部材２５に回動可能に連結されたリンク部材２７とから構成される。
【００１６】
上記リンク部材２７の下端側は、図５（ｂ）に示すように、ボルト２９を上記支柱側支点用部材２３と上記リンク部材２７を通して、図示しないナットに螺合させることにより固定されている。上記ボルト２９の頭部と上記支柱側支点用部材２３との間にはワッシャ２９ａが介挿されている。また、上記リンク部材２７の上端側は、図５（ｃ）、図５（ｄ）に示すように、ボルト３１を上記第１梁材側支点用部材２５と上記リンク部材２７を通して、ナット２８に螺合させることにより固定されている。上記ボルト３１の頭部と上記第１梁材側支点用部材２５との間にはワッシャ３１ａが介挿されており、上記ナット２８と上記第１梁材側支点用部材２５との間にはワッシャ３１ｂが介挿されている。
また、上記第１梁材側支点用部材２５は、図５（ｄ）に示すように、ボルト３０ａを上記第１梁材側支点用部材２５を通して、上記第１梁材９のＴ型溝１５、１５内に内装されたＴ型ナット３０ｂ、３０ｂに螺合させることにより固定されている。上記ボルト３０ａの頭部と上記第１梁材側支点用部材２５との間にはワッシャ３０ｃが介挿されている。
【００１７】
そして、上記ボルト１３、１３を緩めることによって上記第１梁材９が上記支柱５に対して回動可能な状態となり、上記ボルト２９、３１を緩めることによって上記リンク部材２７が上記支柱側支点用部材２３と上記第１梁材側支点用部材２５に対して回動可能な状態となる。また、上記第１梁材側支点用部材２５を固定しているボルト３０ａ、３０ａを緩めることにより、上記第１梁材側支点用部材２５が上記第１梁材９に沿って移動可能な状態となる。そのような状態で、上記第１梁材９の前後方向（図２（ｂ）中左右方向）の傾斜を調整する。
また、上記ボルト１９、１９と上記ボルト３０ａ、３０ａを緩めることにより、上記第１梁材用支持部材１１に対して上記第１梁材９が移動可能な状態となり、上記第１梁材９に対する上記第１梁材用支持部材１１の支持位置を調整できるようになっている。
【００１８】
また、例えば、図３（ａ）に示すように、複数本（この第１の実施の形態の場合には４本）の第２梁材３３が、上記第１梁材９に対して直交する方向に延長された状態で回動可能に設置されている。これら第２梁材３３は、中空の略四角柱形状の部材であり、これら複数本の第２梁材３３上に既に説明した複数枚の太陽光パネル３が載置・固定されている。
なお、図８に示すように、上記第２梁材３３には張出部３３ａが設けられている。上記第２梁材３３は、図８に示す端面形状が紙面に垂直な方向に連続した形状になっている。
【００１９】
上記第１梁材９の所定の４箇所には、それぞれ２個の第２梁材用支持部３５、３５が、上記第２梁材３３の長手方向に並んで設置されている。上記第２梁材用支持部３５には、図８に示すように、まず、係合部材３６がある。この係合部材３６は、図６に示すように、基部３７とこの基部３７の中央に所定の間隔で立設された一対の支持部３９、３９とから構成されている。上記基部３７には、固定用貫通長孔４１、４１が形成されている。また、上記支持部３９には、第２梁材用貫通長孔４３が形成されている。この第２梁材用貫通長孔４３は、図６（ｃ）中上下方向に延長・形成されている。また、上記支持部３９の外側面（図６（ｂ）中右側又は左側の面）には、ギザギザ状の固定用係合部４５が形成されている。
【００２０】
また、図４に示すように、上記係合部材３６の上記一対の支持部３９、３９には被係合部材４７、４７が係合されている。これら被係合部材４７、４７は、図７に示すように、板状の部材であり、貫通孔４９が形成されている。また、上記被係合部材４７の一方の面（図７（ｂ）中右側の面）には、ギザギザ状の固定用被係合部５１が形成されている。この固定用被係合部５１と、上記係合部材３６の支持部３９の固定用係合部４５が係合されることになる。
【００２１】
そして、図８に示すように、上記第２梁材３３は、上記係合部材３６の支持部３９、３９間に設置され、ボルト５３を、一方の被係合部材４７、上記係合部材３６の一方の（図８中左側の）支持部３９、上記第２梁材３３に形成された貫通孔５４、５４、及び、上記係合部材３６の他方の（図８中右側の）支持部３９、他方の被係合部材４７を通して、ナット５５に螺合させることにより固定されている。また、上記ボルト５３の頭部と図８中左側の被係合部材４７との間にはワッシャ５７が介挿されており、上記ナット５５と図８中右側の被係合部材４７との間にはワッシャ５９が介挿されている。
また、上記支持部３９、３９間には、上記貫通孔５４、５４を通して、カラ５６が介挿されていて、上記ボルト５３と上記ナット５５によって締結した際、上記第２梁材３３が変形してしまうのを防止している。
【００２２】
また、図４に示すように、上記第２梁材３３が水平状態にある場合には、上記第２梁材用支持部３５、３５のそれぞれの上記被係合部材４７、４７は同じ高さ位置にある。これに対して、図４中仮想線で示すように、例えば、上記第２梁材３３の右側を下げて図４（ａ）中右下がりの傾斜に設定しようとすると、図中右側の被係合部材４７が下に押し下げられることになる。このようにして、上記第２梁材３３を左右方向に傾斜させるものである。
また、２つの上記第２梁材用支持部３５、３５によって上記第２梁材３３を２箇所で支持することにより、上記第２梁材３３の不用意な回動を規制することができる構成になっている。
【００２３】
また、上記係合部材３６は、図４に示すように、ボルト６１を上記係合部材３６の固定用貫通長孔４１と第１梁材９の図４中上側に形成された図示しない貫通孔を通して、ナット６３に螺合させることにより固定されている。また、上記ボルト６１の頭部と上記係合部材３６との間にはワッシャ６５が介挿されており、上記ナット６３上記第１梁材９の図４中上側部分との間にはワッシャ６７が介挿されている。
なお、既に述べたように、上記２つの第２梁材用支持部３５、３５は、第１梁材９の長手方向の所定の４箇所に設置されており、何れも同様の構成になっている。
【００２４】
次に、この第１の実施の形態による作用について説明する。
前述したように、太陽光パネル用架台１には、図１、図２に示すように、複数枚（この第１の実施の形態の場合は４枚）の太陽光パネル３が載置・固定されている。そして、それら４枚の上記太陽光パネル３の傾斜角度は、図２（ａ）に示すように、左右方向に０°〜±３０°の範囲で調整されるとともに、図２（ｂ）に示すように、前後方向にも０°〜±３０°の範囲で調整される。
【００２５】
左右方向の傾斜角度は、２つの第２梁材用支持部３５、３５において、ボルト５３、５３を緩め、上記被係合部材４７、４７の上記係合部材３６の支持部３９、３９に対する係合位置を変えることにより調整される。
尚、４本の第２梁材３３は全て同じ傾斜角度になるように調整される。
また、前後方向の傾斜角度は、第１梁材用支持部材１１を固定しているボルト１３、１３、リンク機構２１のボルト２９、３１、及び、上記リンク機構２１の第１梁材側支点用部材２５を固定しているボルト３０ａを緩めて、第１梁材９を回動させることにより調整される。
このように、上記太陽光パネル用架台１は、太陽光パネル３を２つの回動軸を中心に回動させて傾斜させるようになっている。
そして、本実施の形態による太陽光パネル用架台１は、例えば、切り株がそのまま放置された自然のままの斜面若しくはそれに近い人工的な斜面に複数台並んで設置される。その際、設置される場所の傾斜状況に応じて、各太陽光パネル用架台１毎に、既に説明した左右方向、前後方向の傾斜角度の調整が行われる。
また、必要であれば、第１梁材用支持部材１１を通すボルト１９、１９と第１梁材側支点用部材２５を通すボルト３０ａ、３０ａを緩めることにより、上記第１梁材用支持部材１１に対して上記第１梁材９を移動可能な状態とし、上記第１梁材９に対する上記第１梁材用支持部材１１の支持位置の調整を行う。
【００２６】
次に、この第１の実施の形態による効果について説明する。
まず、支柱５に対して、第１梁材９が前後方向に回動可能に設置されており、この第１梁材９に対して複数本の第２梁材３３が左右方向に回動可能に設置されており、太陽光パネル３を２つの回動軸を中心に適宜回動させることができるので、太陽光パネル３の傾斜方向及び傾斜角度を広範囲で調整して、例えば、切り株がそのまま放置された自然のままの斜面若しくはそれに近い人工的な斜面に応じた最適な設置状態を得ることができ、それによって、発電効率の向上を図ることができる。
また、例えば、切り株がそのまま放置された自然のままの斜面若しくはそれに近い人工的な斜面に上記太陽光パネル用架台１を複数台並べて設置した場合においても、各太陽光パネル用架台１毎に傾斜方向及び傾斜角度を広範囲で調整することができるので、自然のままの傾斜面に対して効果的に対応することができる。
【００２７】
また、太陽光パネル３を２つの回動軸を中心に適宜回動させるための構成も簡単である。
また、第２梁材３３を左右方向に回動させてその傾斜角度を調整して固定する場合には、上記被係合部材４７の固定用被係合部５１を上記係合部材３６の支持部３９の固定用係合部４５に係合させる構成になっているので、強固な固定状態を得ることができる。
また、支柱５と第１梁材９との間にはリンク機構２１が設置されているので、上記第１梁材９を確実に支持することができる。
また、必要であれば、ボルト１９、１９と上記リンク機構２１のボルト３０ａ、３０ａを緩めることにより、上記第１梁材用支持部材１１に対して上記第１梁材９を移動可能な状態とし、上記第１梁材９に対する上記第１梁材用支持部材１１の支持位置の調整を行うこともでき、それによって、太陽光パネル３と支柱５の上記第１梁材９の長手方向に沿った相対位置をずらすことができる。これは、太陽パネル３の位置をそのままとし、支柱５を、例えば、切り株のない場所に移動させたいような場合に好都合である。
【００２８】
次に、図９乃至図１４を参照して本発明の第２の実施の形態を説明する。
この第２の実施の形態による太陽光パネル用架台７１は、前記第１の実施の形態による太陽光パネル用架台１と略同様の構成であるが、太陽光パネル３と支柱５との相対的位置関係をより広範囲に調整可能な構成になっている。
以下、詳細に説明する。
まず、前記第１の実施の形態による太陽光パネル用架台１では、第１梁材９が支柱５に対して移動可能に構成されていて、上記第１梁材９の上記支柱５に対する位置を調整できるようになっていた。この第２の実施の形態のよる太陽光パネル用架台７１では、それに加えて、第２梁材７３が上記第１梁材９に対して移動可能に構成されていて、上記第１梁材９に対する上記第２梁材７３の位置を調整できるようになっている。
その結果、太陽光パネル３と支柱５との相対的位置をより広範囲に調整することができる。以下、詳しく説明する。
【００２９】
図１１に示すように、第２梁材７３は、中空の略四角柱形状の部材であり、側面（図１１中左右側の面）にはＴ型溝７５、７５が形成されているとともに、底面（図１１中下側の面）にはＴ型溝７７が形成されている。
なお、図１１に示すように、上記第２梁材７３には張出部７９が設けられている。また、上記第２梁材７３は、図１１に示す端面形状が紙面に垂直な方向に連続した形状になっている。
【００３０】
上記Ｔ型溝７５、７５内にはＴ型ナット８１、８１が内装されていて、上記第２梁材７３は、ボルト８３、８３を被係合部材４７、係合部材３６の支持部３９、３９を通して、上記Ｔ型ナット８１、８１に螺合させることにより、係合部材３６に固定されている。また、上記ボルト８３、８３の頭部と上記被係合部材４７との間には、ワッシャ８４、８４が介挿されている。
なお、図１１では片側の第２梁材用支持部３５が図示されているが、図１１中奥側に別の第２梁材用支持部３５が設置されている。
また、この第２の実施の形態の場合には、４本の第２梁材７３が使用されており、何れの接合部も同様の構成になっている。
そして、全ての接合部において、各第２梁材用支持部３５における上記ボルト８３、８３を緩めることにより、４本の第２梁材７３を上記第１梁材９に対して移動させてその位置を調整することができる。
【００３１】
また、上記太陽光パネル用架台７１には、リンク機構２１とは別のリンク機構８５が設けられている。このリンク機構８５によって、上記４本の第２梁材７３の一方の端部側（図１０中紙面垂直方向手前側）を支持している。このリンク機構８５は、図１０に示すように、上記支柱５の下部（図１０中下側）に回動可能に設置された支柱側支点用部材８７と、上記第２梁材７３側に設置された第２梁材端部支持部材８９と、この第２梁材端部支持部材８９に固着された第２梁材側支点用部材９１と、その両端側を上記支柱側支点用部材８７と上記第２梁材側支点用部材９１に回動可能に連結されたリンク部材９３とから構成されている。
【００３２】
また、上記リンク部材９３の下端側は、図１０に示すように、ボルト９２ａを上記支柱側支点用部材８７と上記リンク部材９３に通し、ナット９２ｂに螺合させることで固定されている。また、上記リンク部材９３の上端側は、図１２に示すように、ボルト９４ａを上記第２梁材側支点用部材９１と上記リンク部材９３に通し、ナット９４ｂに螺合させることで固定されている。また、上記ボルト９４ａの頭部と上記第２梁材側支点用部材９１の間にはワッシャ９４ｃが介挿されており、上記ナット９４ｂの頭部と上記第２梁材側支点用部材９１の間にはワッシャ９４ｄが介挿されている。
よって、上記ボルト９２ａを緩めることで、上記リンク部材９３が上記支柱側支点用部材８７に対して回動可能になり、上記ボルト９４ａを緩めることで、上記リンク部材９３が上記第２梁材側支点用部材９１に対して回動可能になる。
上記支柱側支点用部材８７は、図１０（ｂ）中左右二箇所において、図示しないボルト及びナットにより、上記支柱５に対して回転可能な状態で固定されている。そして、傾斜角度を調整する場合には、一方のボルト及びナットを外して残りのボルトを中心に回動可能な状態にして行う。そして、傾斜角度の調整が終わった後外したボルト及びナット締結する。
尚、上記着脱するボルト及びナット側の支柱５の部位には図示しない長孔が形成されている。
【００３３】
上記第２梁材端部支持部材８９は、図１３に示すように、四角柱の４つの側面に、それぞれＴ型溝９５、９５、９５、９５が形成されたものであり、図１３に示す断面形状が紙面に垂直な方向に連続した形状になっている。
上記第２梁材側支点用部材９１は、ボルト９７を、上記第２梁材端部支持部材８９の図１３中下側のＴ型溝９５に内装されたＴ型ナット９９に螺合させることで、上記第２梁材端部支持部材８９に固定されている。また、上記ボルト９７の頭部と上記第２梁材側支点用部材９１との間には、ワッシャ９８が介挿されている。
よって、上記ボルト９７を緩めることにより、上記第２梁材側支点用部材９１を上記第２梁材端部支持部材８９の長さ方向（図１３中紙面垂直方向）に移動できるように構成されている。
【００３４】
また、上記第２梁材端部支持部材８９は、図１４に示すように、ボルト１０１を上記第２梁材７３のＴ型溝７７に内装されたＴ型ナット１０３に螺合させることにより、上記第２梁材７３に固定されている。また、上記ボルト１０１の頭部と上記第２梁材端部支持部材８９との間には、ワッシャ１０２が介挿されている。
そして、上記ボルト１０１を緩めることにより、上記第２梁材端部支持部材８９を上記第２梁材７３の長さ方向（図１４中左右方向）に移動できるように構成されている。
なお、上記太陽光パネル用架台７１に設置された上記第２梁材７３の内、図１０中左右両端の第２梁材７３が上記第２梁材端部支持部材８９に固定されており、残りの第２梁材７３は、上記第２梁材端部支持部材８９の上に載置された状態となっている。また、図１４に示すように、上記第２梁材端部支持部材８９の、上記第２梁材７３を固定する部分には、ボルト用貫通孔１０４が形成されていて、このボルト用貫通孔１０４を介して、上記第２梁材端部支持部材８９内に上記ボルト１０１やワッシャ１０２を挿入できるようになっている。
なお、この第２の実施の形態の場合には、図１０に示すように、左右方向に０°〜±２５°の範囲で調整可能となっているとともに、前後方向にも０°〜±２５°の範囲で調整可能となっている。
【００３５】
次に、この第２の実施の形態による作用について説明する。
まず、この第２の実施の形態による太陽光パネル用架台７１も、前記第１の実施の形態による太陽光パネル用架台１と同様に、太陽光パネル３を前後方向、及び、左右方向に傾斜させることができる。
ただし、上記太陽光パネル用架台７１には、リンク機構８５が設置されているので、左右方向に傾斜させる場合、すなわち、第２梁材７３を傾斜させる場合は、第２梁材用支持部３５のボルト８３、８３だけでなく、上記リンク機構８５のボルト９２ａとボルト９４ａと第２梁材端部支持部材８９を通すボルト１０１も緩める必要がある。
【００３６】
また、上記太陽光パネル用架台７１は、前記第１の実施の形態による太陽光パネル用架台１と同様に、上記太陽光パネル３を前後方向に移動させることができる。
ただし、上記太陽光パネル用架台７１には、リンク機構８５が設置されているので、第１梁材用支持部材１１を通すボルト１９、１９と第１梁材側支点用部材２５を通すボルト３０ａ、３０ａだけでなく、上記リンク機構８５の第２梁材側支点用部材９１を第２梁材端部支持部材８９に固定するボルト９７、９７も緩める必要がある。
【００３７】
また、上記太陽光パネル用架台７１は、上記太陽光パネル３を左右方向にも移動させることができる。このとき、第２梁材用支持部３５のボルト８３、８３と、第２梁材端部支持部材８９を通すボルト１０１を緩める必要がある。
【００３８】
この第２の実施の形態の場合は、前記第１の実施の形態の場合と同様の効果に加え、太陽光パネル３を左右方向にも移動させることができるという効果も奏するものである。
例えば、切り株がそのまま放置された自然のままの斜面若しくはそれに近い人工的な斜面に複数個の太陽光パネル用架台１を設置する場合、それぞれの太陽光パネル用架台１に取り付けられる太陽光パネル３の位置が決められている場合がある。通常であれば、太陽光パネル３の位置が決められれば、必然的に、太陽光パネル用架台１の位置ひいては支柱５の位置も決められることになる。ところが、切り株がそのまま放置された自然のままの傾斜面の場合には、その支柱５の位置に切り株が残されていることもあり、そのままでは設置できないということになる。
前記第１の実施の形態の場合には、第１梁材９を支柱５に対して移動させることによりそれに対処していたが、この第２の実施の形態の場合には、それに加えて、第２梁材７３を第１梁材９に対して移動可能としており、それによって、太陽光パネル３と支柱５の相対位置を直交する二方向に調整できるので、太陽光パネル３の位置をそのままとして支柱５の位置をより広範囲にずらして残されている切り株を避けることができる。
このように、切り株がそのまま放置された自然のままの斜面若しくはそれに近い人工的な斜面に対しても、前記第１の実施の形態の場合以上に効果的に対応することができるものである。
また、支柱５と第２梁材７３との間にもリンク機構８５が設置されているので、上記第２梁材７３を確実に支持することができる。
【００３９】
次に、図１５乃至図１８を参照して本発明の第３の実施の形態を説明する。
この第３の実施の形態による太陽光パネル用架台１１１は、前記第１の実施の形態による太陽光パネル用架台１と略同様の構成であるが、図１５乃至図１８に示すように、支柱５と第１梁材９がそれぞれ２本ずつ設置されている点と、第２梁材３３の長さが前記第１の実施の形態による太陽光パネル用架台１の場合よりも長く設定されている点と、太陽光パネル３が１２枚設置されている点、で異なっている。
【００４０】
また、前記第１の実施の形態の場合は、上記第１梁材９の上記第２梁材３３を支持する箇所１個につき、第２梁材用支持部３５が２個ずつ設置されていたが、この第３の実施の形態の場合は、第２梁材用支持部３５は１個ずつ設置されている。これは、上記支柱５が２本設置されているため、１つの第２梁材３３について、２つの第１梁材９、９のそれぞれに１個ずつの第２梁材用支持部３５を設置すれば、上記第２梁材３３の不用意な回動を防止することができるからである。
なお、その他の構成は前記第１の実施の形態の場合と同じであり、図中同一部分には同一符号を付して示しその説明を省略する。
【００４１】
次に、この第３の実施の形態による作用について説明する。
この第３の実施の形態の場合も、前記第１の実施の形態の場合と同様の作用を奏す。
ただし、支柱５が２本設置されているので、図１６（ａ）に示すように、第２梁材３３の左右の傾斜角度は、上記２つの支柱５、５の設置された高さによって一義的に決定され、それは、図１６（ａ）に示すように、左右方向に０°〜±１５°の範囲で調整可能となっている。また、図１６（ｂ）に示すように、前後方向にも０°〜±１５°の範囲で調整可能となっている。
【００４２】
この第３の実施の形態の場合も、前記第１の実施の形態の場合と同様の効果を奏することができる。
また、この第３の実施の形態の場合は、支柱５が２本設置されているので、より安定した状態で太陽光パネル３を支持することができる。
【００４３】
なお、本発明は前記第１の実施の形態〜第３の実施の形態に限定されるものではない。
まず、第１梁材や第２梁材の本数、太陽光パネルの枚数については様々な場合が考えられる。
また、各所における第２梁材用支持部の数についても、３以上の場合が考えられる。
また、各構成要素の形状、寸法等についても様々な場合が考えられる。
また、本願発明が、自然のままの斜面若しくはそれに近い人工的な斜面に対して効果的であることは既に説明した通りであるが、用途がそれに限定されるものではなく、様々な場所に設置可能である。
その他、各部の構成は図示したものに限定されない。
【産業上の利用可能性】
【００４４】
本発明は、例えば、太陽電池パネルを載置された太陽光パネル用架台に係り、特に、簡易な構成により太陽光パネルの傾斜方向及び傾斜角度の調整の自由度を高めることができるように工夫したものに関し、例えば、自然のままの斜面若しくはそれに近い人工的な斜面に対して設置される太陽光発電設備に好適である。
【符号の説明】
【００４５】
１  太陽光パネル用架台
５  支柱
９  第１梁材
２１  第１リンク機構
２７  第１リンク部材
３３  第２梁材
３５  第２梁材用支持部
３６  係合部材
４５  固定用係合部
４７  被係合部材
５１  固定用被係合部
５３  ボルト（締結具の一部）
５５  ナット（締結具の一部）
７１  太陽光パネル用架台
７３  第２梁材
８５  第２リンク機構
９３  第２リンク部材
１１１  太陽光パネル用架台
【図１】
2017192232.tif 000003
【図２】
2017192232.tif 000004
【図３】
2017192232.tif 000005
【図４】
2017192232.tif 000006
【図５】
2017192232.tif 000007
【図６】
2017192232.tif 000008
【図７】
2017192232.tif 000009
【図８】
2017192232.tif 000010
【図９】
2017192232.tif 000011
【図１０】
2017192232.tif 000012
【図１１】
2017192232.tif 000013
【図１２】
2017192232.tif 000014
【図１３】
2017192232.tif 000015
【図１４】
2017192232.tif 000016
【図１５】
2017192232.tif 000017
【図１６】
2017192232.tif 000018
【図１７】
2017192232.tif 000019
【図１８】
2017192232.tif 000020